(57)【要約】【課題】  水素水を適正に摂取できるようにする水素水製造装置の管理装置を提供する。【解決手段】水素水製造装置（５０）の管理装置（１０）は、水を入れた容器の中に陽極電極と陰極電極とを予め定められた距離で互いに対向させて設置し、直流電圧を印加することにより水素水を製造する水素水製造装置を管理する。その管理装置は、水素水製造装置における水素水の製造流量及び製造時刻並びに水素水製造装置の識別番号を、ネットワークを介して受信する通信部（１２）と、製造流量と製造時刻とに基づいて識別番号の水素水製造装置で水素水を適正に摂取しているかを判定する判定部（１３）と、を備える。【選択図】図１
2016147224.tif 000002
【特許請求の範囲】
【請求項１】
水を入れた容器の中に陽極電極と陰極電極とを予め定められた距離で互いに対向させて設置し、直流電圧を印加することにより水素水を製造する水素水製造装置を管理する管理装置において、
前記水素水製造装置における前記水素水の製造流量及び製造時刻、並びに前記水素水製造装置の識別番号を、ネットワークを介して受信する通信部と、
前記製造流量と前記製造時刻とに基づいて、前記識別番号の前記水素水製造装置で前記水素水を適正に摂取しているかを判定する判定部と、
を備える水素水製造装置の管理装置。
【請求項２】
前記陽極電極を発送する指示を出す発送指示部を備え、
前記通信部が、前記陽極電極の交換時期が来たことを受信した際に、前記発送指示部は、前記識別番号の前記水素水製造装置に前記陽極電極を発送する指示を出す請求項１に記載の水素水製造装置の管理装置。
【請求項３】
前記水素水製造装置に発生した異常事象又は異常事前事象の回数に基づいて、前記水素水製造装置の保守に関する情報を送信する保守指示部を備え、
前記通信部は、前記異常事象又は異常事前事象を受信し、
前記保守指示部は、前記識別番号の前記水素水製造装置に保守に関する情報を送信する請求項１又は請求項２に記載の水素水製造装置の管理装置。
【請求項４】
前記水素水製造装置の利用契約に応じて前記製造流量の単位あたりの課金金額を異ならせて記憶する記憶部と、
前記通信部が受信した水素水の製造流量と前記記憶部に記憶された前記単位あたりの課金金額とに基づいて、前記識別番号の前記水素水製造装置に対する請求金額を計算する請求金額計算部と、を備える請求項１から請求項３のいずれか一項に記載の水素水製造装置の管理装置。
【請求項５】
水を入れた容器の中に陽極電極と陰極電極を予め定められた距離で互いに対向させて設置し、直流電圧を印加することにより水素水を製造する水素水製造装置において、
前記水素水の製造流量を計測する流量計測部と、
前記水素水の製造時刻を記録する時刻記録部と、
前記水素水の製造流量及び製造時刻並びに前記水素水製造装置の識別番号をネットワークを介して送信する通信部と、
を備える水素水製造装置。
【請求項６】
前記製造流量に基づいて、前記陽極電極の交換時期が来たことを判断する交換判断部を備え、
前記通信部は、前記交換時期が来たことをネットワークを介して送信する請求項５に記載の水素水製造装置。
【請求項７】
異常事象又は異常事前事象を収集するセンサを備え、
前記通信部は、該センサで収集した前記異常事象又は異常事前事象を送信する請求項請求項５又は請求項６に記載の水素水製造装置。
【発明の詳細な説明】
【技術分野】
【０００１】
本発明は、水の電気分解と化学反応を利用した水素水製造装置、その管理装置にかかり、より詳しくは、製造流量を計測する水素水製造装置、その製造流量や稼働状況を管理する管理装置に関する。
【背景技術】
【０００２】
健康志向が高まる中、水素を溶存させた水の製造装置が、水素水製造装置又は還元水製造装置（以下、水素水製造装置という。）の名称で市販されている。水素水は体内に取り込むと水素の還元力により体内の活性酸素を消滅させて、アンチエイジング効果等があるといわれている。最近では、水素水を病気の治療目的で使用することも提案されている。
【０００３】
一方、水素はあらゆる物質の中で最も小さい分子であるため、殆ど全ての物質の中に入り込み通り抜けることができる。このため、水素水を長期間保存することは困難であり、特に、水素水に振動を与えると、溶存していた水素が気体となって水から脱去する。このため、輸送することができず水素水を運搬することは困難である。
【０００４】
そこで、製造された水素水を製造後すぐに飲むことができれば多くの水素を体内に取り込むことができため、水素水製造装置を各家庭に配置することが望まれている。特許文献１は、家庭のシンクの上に配置したり（シンクトップ型）又はシンクの下に配置したり（アンダーシンク型）できる小型化した水素水製造装置を提案している。
【先行技術文献】
【特許文献】
【０００５】
【特許文献１】特開２０１３―１３８９９６号公報
【発明の概要】
【発明が解決しようとする課題】
【０００６】
しかし、小型化した水素水製造装置を家庭に配置しても、適正なタイミングで且つ適正な量が摂取（飲料）されないと、アンチエイジング効果又は病気の治療等の効果を発揮できない。また、過度の使用頻度又は時が経ることにより、適量に水素水が製造できなくなることがあるため、水素水製造装置のメンテナンスも重要である。
【０００７】
そこで、水素水製造装置で製造された水素水を適正に摂取できるようにする水素水製造装置、及び管理装置を提供する。
【課題を解決するための手段】
【０００８】
第１の観点の水素水製造装置の管理装置は、水を入れた容器の中に陽極電極と陰極電極とを予め定められた距離で互いに対向させて設置し、直流電圧を印加することにより水素水を製造する水素水製造装置を管理する。その管理装置は、水素水製造装置における水素水の製造流量及び製造時刻、並びに水素水製造装置の識別番号を、ネットワークを介して受信する通信部と、製造流量と製造時刻とに基づいて識別番号の水素水製造装置で水素水を適正に摂取しているかを判定する判定部と、を備える。
【０００９】
別の観点の水素水製造装置の管理装置は、陽極電極を発送する指示を出す発送指示部を備える。そして、通信部が陽極電極の交換時期が来たことを受信した際に、発送指示部は識別番号の水素水製造装置に陽極電極を発送する指示を出す。
また別の観点の管理装置は、水素水製造装置に発生した異常事象又は異常事前事象の回数に基づいて、水素水製造装置の保守に関する情報を送信する保守指示部を備える。そして、通信部は異常事象又は異常事前事象を受信し、保守指示部は、その回数に基づいて識別番号の水素水製造装置に保守に関する情報を指示する。
別の観点の水素水製造装置の管理装置は、水素水製造装置の利用契約に応じて製造流量の単位あたりの課金金額を異ならせて記憶する記憶部と、通信部が受信した水素水の製造流量と記憶部に記憶された単位あたりの課金金額とに基づいて、識別番号の水素水製造装置に対する請求金額を計算する請求金額計算部と、を備える。
【００１０】
第２の観点の水素水製造装置は、水を入れた容器の中に陽極電極と陰極電極を予め定められた距離で互いに対向させて設置し、直流電圧を印加することにより水素水を製造する。その水素水製造装置は、水素水の製造流量を計測する流量計測部と、水素水の製造時刻を記録する時刻記録部と、水素水の製造流量及び製造時刻並びに水素水製造装置の識別番号をネットワークを介して送信する通信部と、を備える水素水製造装置。
【００１１】
別の観点の水素水製造装置は、製造流量に基づいて、陽極電極の交換時期が来たことを判断する交換判断部を備え、通信部は、交換時期が来たことをネットワークを介して送信する。
別の観点の水素水製造装置は、異常事象又は異常事前事象を収集するセンサを備え、通信部は、該センサで収集した異常事象又は異常事前事象を送信する。
【発明の効果】
【００１２】
本発明の水素水製造装置及び管理装置によれば、利用者は水素水製造装置で製造された水素水を適正に摂取できる。
【図面の簡単な説明】
【００１３】
【図１】水素水製造装置及びその管理装置の構成の一例を示す図である。
【図２】（Ａ）は、カートリッジを交換する状態を示した図である。（Ｂ）は、カートリッジ内の詳細を示した図である。また（Ｃ）は、カートリッジで水素水を発生させる概念図である。
【図３】水素水の適正摂取、カートリッジの交換に関するフローチャートである。
【図４】（Ａ）は水素水の適正摂取水を判定する詳細なフローチャートであり、（Ｂ）は、管理装置１０が受信した水素水の製造流量及び時刻である。
【図５】水素水製造装置５０の保守もしくは修理、請求金額の計算に関するフローチャートである。
【発明を実施するための形態】
【００１４】
＜＜水素水製造装置及び管理装置の構成＞＞
本実施形態は、水素水製造装置、及び水素水製造装置を管理する管理装置に関するものである。
図１は、水素水製造装置５０及び管理装置１０の構成の一例を示す図である。水素水製造装置の管理装置１０は、インターネット等の通信ネットワークに接続できるクラウドコンピュータまたはサーバーを有する。また、水素水製造装置５０は、水素水を製造するとともにインターネット等の通信ネットワークに接続できる。ここで利用者は、水素水製造装置５０を利用する複数の人々であり、水素水製造装置５０は複数台あることを前提としており、水素水製造装置５０Ａ、５０Ｂ及び５０Ｃが図１に描かれている。また、利用者は、水素水製造装置５０の表示部５９に、水素水の製造流量、カートリッジの交換指示、異常事象又はサーバーから送られてくるアドバイスが表示されることで、水素水製造装置５０のこれらの情報を知ることができる。
【００１５】
水素水製造装置の管理装置１０は、情報処理装置１及び記憶部１１を有する。情報処理装置１は、利用者の有する水素水製造装置５０から製造流量等のデータを送受信する通信部１２と、この製造流量が適正であるかを判定する判定部１３と、交換用の新規カートリッジの発送を指示する発送指示部１４と、を有している。また、情報処理装置１は、水素水製造装置５０で製造された水素水の製造流量に基づいて請求金額を計算する請求金額計算部１５、及び異常事象などの回数を分析して保守又は修理が必要であるかを指示する保守指示部１６を有している。
【００１６】
記憶部１１の構成を説明する。記憶部１１は、水素水製造装置５０Ａを保有する利用者Ａとの利用契約、水素水製造装置５０Ｂを保有する利用者Ｂとの利用契約データ１１１が記憶されている。カートリッジ式の水素水製造装置５０において利用契約が結ばれる場合、水素水製造装置５０の利用料金は製造流量に基づいて決められ、例えば１０円／１リットル、１５円／１リットル等である。単位流量あたりの利用料金は、契約年数又は水素水製造装置５０のモデル等によって異なっており、水素水製造装置５０の識別番号ＩＤとともに記憶されている。利用契約には、利用者の氏名及び住所、電子メール等の連絡先も記憶されている。
【００１７】
記憶部１１は、水素水製造装置５０Ａを保有する利用者Ａの家族構成データ１１２、水素水製造装置５０Ｂを保有する利用者Ｂの家族構成データ１１２が記憶されている。例えば利用者Ａの家族構成は大人一人であり、利用者Ｂの家族構成は大人一人と子供一人であり、利用者Ｃの家族構成は老人一人、大人二人、子供二人である。これらの家族構成は、適正な水素水の製造流量と関連する。なお、本実施形態では利用者が一住居の家族構成として説明するが、大人数の職場や学校等に水素水製造装置５０を設置した場合でも適用できる。
【００１８】
さらに記憶部１１は、水素水製造装置５０から送られてきた製造流量及び製造時間の蓄積データ１１３（図４（Ｂ）を参照。）を記憶する。これらの家族構成は、適正な水素水の製造流量と関連する。また記憶部１１は、水素水製造装置５０から送られてきた保守の回数の蓄積データ１１４を記憶する。
【００１９】
水素水製造装置の管理装置１０がクラウドコンピュータである場合には、管理者は、通信ネットワークに接続されるキーボード等の入力装置２２及び液晶表示装置等の表示部２９を有する管理端末２０を介して、水素水製造装置の管理装置１０にアクセスする。水素水製造装置の管理装置１０がパソコン等である場合には、管理者は直接そのパソコンにアクセスしてもよい。
【００２０】
水素水製造装置５０は、陽極電極と陰極電極とを水中において対向して設置し、陽極電極と陰極電極とに直流電圧を印加することにより水素水を製造するものである。ここで水素水（還元水）とは分子水素を多く溶解させた水であり、分子水素が０．４ｐｐｍ（parts per million）以上１．６ｐｐｍ以下を含む水である。水素は最も小さな分子であるため、ほとんどの物質の中に入り込むことができ且つ通り抜けることができる。このため水素水の長期保管は困難であり、また水素水に振動を与えると溶解していた水素が気体となって抜ける。したがって、利用者は、水素水製造装置５０を使って、濃度の高い水素水を製造して、製造後すぐにその水素水を摂取することが望まれている。
【００２１】
水素水製造装置５０Ｃに示されるように、水素水製造装置５０は、水素水の製造流量を計測する計測部（例えば流量計）５１、水素水を製造した時刻を記録する時刻記録部５２、製造流量又は識別番号ＩＤ等を通信ネットワーク介して送受信する通信部５３を有する。また水素水製造装置５０は、陽極電極と陰極電極とを含むカートリッジの交換時期を判定する交換判断部５４、異常事象又は異常事前事象を計測するセンサ５５、センサ５５で計測された結果から保守の方法を指示する保守部５８、製造流量もしくは異常事象等を表示する表示部５９とを有している。水素水製造装置５０は、管理装置１０で管理するための識別番号ＩＤが個々に割り当てられている。
【００２２】
＜＜カートリッジの構成＞＞
図２（Ａ）は、水素水製造装置５０のリッドを開けてカートリッジ５７を交換する状態を示した図である。図２（Ｂ）は、カートリッジ５７内の詳細を示した図である、その内部の１サーキット５７Ａ及び第２サーキット５７Ｂを示すために、覆いカバーが外され陽極電極の一部が切り欠かれて描かれている。また図２（Ｃ）は、カートリッジ５７で水素水を発生させる概念図である。
【００２３】
図２（Ａ）において、水素水を発生させる陽極電極５７１及び陰極電極５７２を含むカートリッジ５７が交換時期になると、交換判断部５４（図１を参照。）が表示部５９にその旨を表示する。そして、利用者はリッドを開けて古いカートリッジ５７と新しいカートリッジ５７とを交換する。また、利用者は操作ボタン５６を使って、例えば「２００」ｍｌと入力するとそれが表示部５９に表示され、製造スタートの操作ボタン５６を押せば、２００ｍｌの水素水が製造される。また、操作ボタン５６を使って、製造する水素水のｐＨを調整することもできる。本実施形態では、利用者が自分の摂取したい量を入力する例を説明するが、製造スタートの操作ボタン５６を押せば、一定量水素水が製造されるようにしてもよい。
【００２４】
図２（Ｂ）に示されるように、本実施形態のカートリッジ５７は、第１サーキット５７Ａ及び第２サーキット５７Ｂを有している。第１サーキット５７Ａは、第１陽極電極５７１ａ、第１陰極電極５７２ａ、及び第１陽極電極５７１ａと第１陰極電極５７２ａとを絶縁させる第１絶縁用プラスチックカバー５７３ａを含む。また第２サーキット５７Ｂは、第２陽極電極５７１ｂ、第２陰極電極５７２ｂ及び第２絶縁用プラスチックカバー５７３ｂを含む。第１及び第２陽極電極５７１ａ、５７１ｂにて金属を酸化させ、第１及び第２陰極電極５７２ａ、５７２ｂにて水素を発生させる。なお、図示しないが、カートリッジ５７は、水道水を浄化するための活性炭フィルター等を含んでいても良い。
【００２５】
第１及び第２陽極電極５７１ａ、５７１ｂは、金属マグネシウム又はマグネシウムを含むマグネシウム合金又は金属マグネシウム又はマグネシウムを含む炭素棒もしくは炭素含有樹脂からなる。陽極電極５７１としては、特にその使用する材料の種類や装置の構造は限定されないが、好ましくは、ステンレス鋼、銅、アルミニウム、鉄、金、白金、銀、チタンなどの金属や、炭素を含む材料で形成されたものである。炭素を含む材料で形成されている陽極電極５７１は、水素の発生に伴い生成される水酸化物イオンを炭酸イオンに変換させ、水系内のｐＨ値の極度の上昇を防止できる点で、特に優れている。
【００２６】
第１及び第２陰極電極５７２ａ、５７２ｂは、マグネシウムより酸化還元電位の高い金属又は炭素棒等からなる。陰極電極５７２として使用できるものは、ステンレス鋼、銅、アルミニウム、鉄、金、白金、銀、チタンなどの金属が挙げられ、より好ましくはステンレス鋼である。
【００２７】
第１陽極電極５７１ａは、穴５７４ａの開いた第１絶縁用プラスチックカバー５７３ａのなかに設置される。すべての穴５７４ａはナイロンメッシュにより塞がれていて、水は通すが、第１陽極電極５７１ａの炭素粉が外部に漏れでないように構成されている。さらに、第１絶縁用プラスチックカバー５７３ａの外周に穴のあいたステンレス鋼からなる第１陰極電極５７２ａが配置されている。
【００２８】
第２陽極電極５７１ｂは、穴５７４ｂの開いた第２絶縁用プラスチックカバー５７３ｂのなかに設置される。すべての穴５７４ｂはナイロンメッシュにより塞がれていて、水は通すが、第２陽極電極５７１ｂの炭素粉が外部に漏れでないように構成されている。さらに、第２絶縁用プラスチックカバー５７３ｂの外周にステンレス鋼からなる第２陰極電極５７２ｂが配置され、その外周に第１陰極電極５７２ａが配置されている。このように、第一サーキット５７Ａと第二サーキット５７Ｂとを有し、それぞれに通電する電流と電圧とを調整することにより、水素水の溶存水素濃度とｐＨとの微調整が可能になる。
【００２９】
またカートリッジ５７は、イオン交換樹脂と金属マグネシウムとを含む混合物５７７を有する。混合物５７７は、金属マグネシウムの表面に生じる水酸化物、すなわち水酸化マグネシウム等を除去する。特に、第１及び第２陽極電極５７１ａ、５７１ｂは、混合物５７７に接触させて用いられる。これにより、水への溶解性の低い水酸化マグネシウム等が金属マグネシウムの表面を被覆することが防止され、より多くのマグネシウムイオンを水中に溶解させることができる。更に混合物５７７は、溶解したマグネシウムイオンとイオン結合することが好ましい。これにより水に対するマグネシウムの溶解度が上がる。混合物５７７を用いることにより、水素を発生させる反応が良好な状態のまま、長期間継続される。イオン交換樹脂は、より好ましくは、陽イオン交換樹脂を用いる。陽イオン交換樹脂の官能基は、水中で負の電荷を有するものであれば特に限定されないが、好ましくは、スルホン酸基やカルボン酸基などが使用できる。
【００３０】
図２（Ｃ）は、カートリッジに電源がつながれた概念図である。本実施形態の水素水製造装置５０は、陽極電極５７１と陰極電極５７２とに、直流電圧を印加して水素を発生させる。陽極電極５７１はイオン交換樹脂と金属マグネシウムとを含む混合物５７７に接している。直流電圧は、ＡＣ−ＤＣコンバータ（不図示）で家庭用交流電源を２４Ｖ等の直流電源に変換する。ＡＣ−ＤＣコンバータの代わりに、リチウム電池、二次電池、燃料電池等を使用することができる。
【００３１】
本実施形態の水素水製造装置５０に使用される水は、例えば、水道水、井戸水、河川水、蒸留水、または浄化フィルターを通した精製水などである。
【００３２】
本実施形態の水素水発生装置５０は、水の電気分解及びマグネシウムと水との化学反応を同時に進行させるハイブリッド方式である。このため、陽極電極５７１のマグネシウムは消費され、一定時間稼動後に陽極電極５７１を交換する必要がある。陽極電極５７１のみを交換することも可能であるが、利用者が容易に陽極電極５７１を交換できるように、図２（Ａ）に示されたカートリッジ５７を一ユニットとして交換する例を挙げる。なお、実施形態ではハイブリッド方式を採用したが、水の電気分解のみで水素を発生させる装置又は化学反応のみで水素を発生させる装置であっても、カートリッジ等を交換する必要があれば、本発明は適用できる。
【００３３】
＜＜水素水製造装置及び管理装置の動作＞＞
＜その１：水素水の適正摂取、カートリッジの交換＞＞
図３は、水素水の適正摂取、カートリッジの交換に関するフローチャートである。
【００３４】
まず、利用者が水素水製造装置５０の電源をオンする（ステップＴ５１）と、水素水製造装置５０が、水素水を製造する準備段階に進む。そして、交換判断部５４はカートリッジ５７が交換期間に入っているか否かを判断する（ステップＴ５２）。カートリッジ５７の交換期間であれば、通信部５３は、管理装置１０の通信部１２にカートリッジの交換期間にあること及びその水素水製造装置５０の識別番号ＩＤを送信する。また、交換判断部５４は、表示部５９にカートリッジが交換時期であることの注意を喚起する旨を表示する。
【００３５】
利用者が水素水製造装置５０の操作ボタン５６を使って、製造流量を入力し製造スタートの操作ボタン５６を押す（ステップＴ５３）。すると、カートリッジ５７の陽極電極５７１及び陰極電極５７２に直流電圧が印加され、水素水が製造される。そして、流量計測部５１が製造された水素水の製造流量を計測し、時刻記録部５２がその製造された時刻を記録する（ステップＴ５４）。
【００３６】
次に、水素水製造装置５０の交換判断部５４は、今回計測された製造流量をこれまで蓄積していた製造流量に加える計算をする（ステップＴ５５）。その後、再びステップＴ５２に進み、交換判断部５４は、合計した製造流量がカートリッジ５７が交換時期になったかを判断する。例えばカートリッジ５７は、１０００リットルが適正な使用限度であると仮定すると、合計した製造流量が１０００リットルを超えた場合に、交換判断部５４は、カートリッジの交換時期であると判断する。すると、及び陰極電極５７２を含むなると、が表示部５９にその旨を表示する。
【００３７】
また、ステップＴ５４で水素水の製造流量を計測し管理装置１０のは判定部１３で、利用者が水素水を適正な摂取量だけ摂取していないと判定されると、水素水製造装置５０の表示部５９は、適正な摂取を促す旨を表示する（ステップＴ５６）。
【００３８】
次に管理装置１０のフローチャートを説明する。上述したステップＴ５２を受けて、通信部１２が、カートリッジの交換期間にあること及びその水素水製造装置５０の識別番号ＩＤを受信する。すると管理装置１０の発送指示部１４は、管理者の管理端末２０の表示部２９に、識別番号ＩＤのカートリッジ５７の交換期間であることを表示し、新たなカートリッジ５７を発送する指示を表示する（ステップＴ１１）。管理装置１０の記憶部１１は利用者氏名及び住所を含む利用契約データ１１１を記憶しているため、識別番号ＩＤに基づいて、利用者氏名及び住所の含む発送伝票を表示部２９に表示することが好ましい。
【００３９】
またステップＴ５４の工程を受けて、通信部１２が、、製造流量及び製造時刻を識別番号ＩＤを含めて受信する（ステップＴ１２）。そして、識別番号ＩＤごとに、製造流量及び製造時刻を記憶部１１に記憶する（ステップＴ１３）。図４（Ｂ）は、製造流量及び製造時刻の蓄積データ１１３である。記憶部は、識別番号ＩＤごとに記憶しなくても、製造流量及び製造時刻と識別番号ＩＤとを関連付けて記憶すれば、受信時刻順に記憶してもよい。
【００４０】
判定部１３は、所定期間内に、利用者が水素水を適正に摂取していないか否かを判定する（ステップＴ１４）。利用者が水素水を適正に摂取していないならば、通信部１２を介して水素水を適正に摂取していない旨を送信し、またステップＴ１５に進む。ステップＴ１５では、判定部１３は、水素水を適正に摂取していない旨を通知した回数が所定回数を超えているかを判定する。例えば、所定回数を３回に設定し、ステップＴ１４で利用者の水素水製造装置５０に、４回目の水素水を適正に摂取していない旨を通知したとする。利用者は表示部５９に表示された注意を気が付いていないことから、管理者の管理端末２０の表示部２９に、識別番号ＩＤに基づいて、利用者氏名及び電話番号を表示部２９に警告を表示する（ステップＴ１６）。管理者は、利用者に電話等で、水素水を適正に摂取していない旨を連絡できるようになる。ステップＴ１４又はステップＴ１５で、適正に水素水を摂取していた場合などは、ステップＴ１１に進む。
【００４１】
＜水素水の適正摂取の判定＞＞  
図４（Ａ）は水素水の適正摂取水を判定する（ステップＴ１４）の詳細なフローチャートであり、図４（Ｂ）は、管理装置１０が受信した水素水製造装置５０の水素水の製造流量及び時刻である。
【００４２】
まず判定部１３は、水素製造装置５０の識別番号ＩＤに基づいて、記憶部１１からその水素水製造流量５０が設置されている家族構成データを取得する（ステップＴ１４１）。例えば利用者Ｃ（図１を参照。）の家族構成は、老人一人、大人二人、子供二人である。
【００４３】
次に判定部１３は、その家族構成に基づく、所定期間内の適正な摂取量を計算する（ステップＴ１４２）。例えば、老人の１日の推奨摂取量は１．０リットルであり、大人の１日の推奨摂取量は１．５リットルであり、子供の１日の推奨摂取量は０．７５リットルである。また所定危難を７日間とすると、利用者Ｃの家族は、１リットル×１×７（老人）、１．５リットル×２×７（大人）、０．７５リットル×２×７（大人）である。つまり利用者Ｃの家族構成から７日間の推奨摂取量は３８．５リットルである。
【００４４】
本実施形態では、利用者の家族構成が記憶部１１に記憶されているが、さらに家族の体重まで、記録されているならば、「体重×１ｋｇ当たりの必要水分量（ｍｌ）」を計算しても良い。例えば体重１ｋｇ当たりの必要水素水の摂取量が、老人で２０ｍｌ、大人で２５ｍｌ、子供で７５ｍｌであれば、体重、人数等を掛ければよい。一方、記憶部１１に記憶されている家族構成が人数のみであれば、全員大人と想定して計算すればよい。
【００４５】
次に判定部１３は、蓄積された製造流量及び時刻から、所定期間内の摂取量を計算を計算する（ステップＴ１４３）。図４（Ｂ）に示された、水素水の製造流量及び製造時間の蓄積データ１１３は、左欄Ｃ０１に、時刻（西暦年、月、日、時、分）が記録され、その時刻に製造された流量（ミリリットル）が記載されている。この利用者Ｃの蓄積データ１１３は、７日分で約１６リットルである。なお所定期間は、１日から１か月で適宜調整すればよい。
【００４６】
次に判定部１３は、所定期間内の実際の蓄積製造流量が、その期間の家族構成の適正摂取量を超えているか否かを判定する（ステップＴ１４４）。利用者Ｃの実際の蓄積製造流量が家族構成の適正摂取量を超えていないため、ステップＴ１５及びＴ５５に進む。実際の蓄積製造流量が家族構成の適正摂取量を超えていればステップＴ１１に進む。
【００４７】
＜その２：水素水製造装置５０の保守もしくは修理、請求金額の計算＞＞
水素水製造装置５０は、レンタル契約又はリース契約されて利用者宅に設置されることがある。このような場合に、レンタル料又はリース料が、水素水の製造流量によって変わり、また長期契約もしくは短期契約かによっても単位流量あたりの料金が異なる場合がある。また、簡単な水素水製造装置５０の保守・修理であれば、利用者が保守などの対応が可能である。図５は、水素水製造装置５０の保守もしくは修理、請求金額の計算に関するフローチャートである。
【００４８】
まず、利用者が水素水製造装置５０の電源をオンする（ステップＴ６１）と、水素水製造装置５０が、水素水を製造する準備段階に進む。準備段階及び稼働段階において、部品などの異常事象及び部品などが異常になる手前の異常事前事象を各種センサで計測する。例えば、カートリッジ５７が正しい位置に入っていないとか水が水素水製造装置５０に供給されていない等を各種センタが計測する。そして各種センサの少なくとも一つが異常事象又は異常事前事象があるかを報知する（ステップＴ６２）。
【００４９】
異常事象等があれば、水素水製造装置５０の保守部５８が、保守の方法を表示部５９に表示する（ステップＴ６３）。例えば、“カートリッジ５７を正しい位置に入れなおしてください“とか、”水道の蛇口が開いていますか“等を表示部５９に表示する。また同時に、通信部５３は、管理装置１０の通信部１２に保守部５８が動作したこと及びその水素水製造装置５０の識別番号ＩＤを送信する。
【００５０】
保守部５８の動作する回数が多い場合には、一定金額で電話サービスが受けることができる手厚い保守契約、もしくはサービスマンが利用者宅まで伺う手厚い保守契約にした方がよい旨が表示部５９に表示される（ステップＴ６４）。
【００５１】
利用者が水素水製造装置５０の操作ボタン５６を使って、製造流量を入力し製造スタートの操作ボタン５６を押す（ステップＴ６５）。次に、流量計測部５１が製造された水素水の製造流量を計測し、時刻記録部５２がその製造された時刻を記録する（ステップＴ６６）。
また一月に一回、管理装置１０から受信した製造流量に基づいた請求金額が表示される（ステップＴ６７）。
【００５２】
次に管理装置１０のフローチャートを説明する。通信部１２が、ステップＴ６２において、異常事象又は異常事前事象があること及びその水素水製造装置５０の識別番号ＩＤを受信する。すると管理装置１０の保守指示部１６は、記憶部１１に記憶する保守回数の蓄積データ１１４を一回増やして更新する（ステップＴ２１）。
【００５３】
次に、保守指示部１６は、保守回数を通知した回数が所定回数を超えているかを調べる（ステップＴ２２）。例えば、所定回数を３回に設定しておき、水素水製造装置５０から、４回目の保守回数を通知したとする。すると保守指示部１６は、通信部１２を介して保守契約をより手厚い保守契約が好ましい旨を水素水製造装置５０に通知する。上述したステップＴ６４で、その旨が水素水製造装置５０の表示部５９に表示される。
【００５４】
また、ステップＴ６６を受けて、通信部１２が、製造流量及び製造時刻を識別番号ＩＤを含めて受信する（ステップＴ２３）。そして、識別番号ＩＤごとに、製造流量及び製造時刻を記憶部１１に記憶する（ステップＴ２４）。さらに金額計算部１５は、記憶部１１に記憶されている利用契約データ１１１に基づいて、一月の製造流量と料金単価（１０円／１リットル、１５円／１リットル等）とが掛け算されて計算される。金額計算部１５は、請求額を通信部１２を介して水素水製造装置５０に送信し、その表示部５９に表示される（ステップＴ６７）。特に図示しないが、請求額は管理者の管理端末２０にも送信されるようにしてもよい。
【符号の説明】
【００５５】
１  …  情報処理装置
１０  …  管理装置
１１  …  記憶部
１２  …  通信部
１３  …  判定部
１４  …  発送指示部
１５  …  請求金額計算部
１６  …  保守指示部
２０  …  管理端末
２２  …  入力装置
２９  …  表示部
５０  …  水素水製造装置
５１  …  製造流量計測部
５２  …  時刻記録部
５３  …  通信部
５４  …  交換判断部
５５  …  センサ
５７  …  カートリッジ
５８  …  保守部
５９  …  表示部
１１１  …  利用契約データ
１１２  …  家族構成データ
１１３  …  製造流量及び製造時間の蓄積データ
【図１】
2016147224.tif 000003
【図２】
2016147224.tif 000004
【図３】
2016147224.tif 000005
【図４】
2016147224.tif 000006
【図５】
2016147224.tif 000007